(57)【要約】【課題】  コイル状端子ばねの軸線を乾電池収容スペースの長手方向に一致させて見た目の性能信頼性や外観品位を高める。【解決手段】  端子ばね２の第１番目輪線部始部２１ａを一対の差込み溝７１，７５のうちの第１差込み溝７１内に配備し、第１番目輪線部中間部２１ｂを第２差込み溝７５内に配備した電池ボックスの端子ばね取付け構造において、第１差込み溝７１の溝幅を拡げて第１番目輪線部始部２１ａに対する第１差込み溝７１による押さえ込み状態を解除し、第２差込み溝７５を構成している第２板片部７７の外面側に肉盗み箇所を形成することにより、第１番目輪線部中間部２１ｂを第１差込み溝７５の外側へ出して第２差込み溝７５による第１番目輪線部中間部２１ｂの押さえ込み状態を解除する。【選択図】        図３
2008066009.tif 000002
【特許請求の範囲】
【請求項１】
コイル状の端子ばねの複数の螺旋状の輪線部のうち、当該端子ばねの基部に位置する第１番目輪線部の始部が、相対向して配備された第１及び第２の一対の差込み溝のうちの第１差込み溝内でその溝壁面によって押さえ込まれ、かつ、上記第１番目輪線部の中間部が、第２差込み溝内でその溝壁面によって押さえ込まれている電池ボックスの端子ばね取付け構造において、
上記第１差込み溝が、上記乾電池収容スペースの長手方向に直交する第１平坦面によって形成された片側の第１溝壁面とその第１平坦面に間隔を隔てて対向する第１板片部の平坦な内面によって形成された他側の第１溝壁面とを有し、上記第１板片部を第１番目輪線部の上記始部と第２番目輪線部の上記始部との相互間隙間に配備して第１番目輪線部の始部に対する第１差込み溝の溝壁面による押さえ込み状態を解除してあり、かつ、上記第２差込み溝が、上記第１平坦面と共通の仮想平面上に位置する第２平坦面によって形成された片側の第２溝壁面とその第２平坦面に間隔を隔てて対向する第２板片部の平坦な内面によって形成された他側の第２溝壁面とを有し、上記第２板片部を第１番目輪線部の上記中間部と他側の上記第２溝壁面との相互間隙間に配備して第１番目輪線部の上記中間部に対する第２差込み溝の溝壁面による押さえ込み状態を解除してあることによって、上記端子ばねの自然状態での軸線を電池ボックスの乾電池収容スペースの長手方向に一致させてあると共に、上記第１差込み溝の溝底面に沿って延出された支持線部が第１番目輪線部の始部から延び出ていることを特徴とする電池ボックスの端子ばね取付け構造。
【請求項２】
コイル状の端子ばねの複数の螺旋状の輪線部のうち、当該端子ばねの基部に位置する第１番目輪線部の始部が、相対向して配備された第１及び第２の一対の差込み溝のうちの第１差込み溝内でその溝壁面によって押さえ込まれ、かつ、上記第１番目輪線部の中間部が、第２差込み溝内でその溝壁面によって押さえ込まれていて、上記第１差込み溝が、第１番目輪線部の始部と第２番目輪線部の始部との相互間ピッチよりも狭い溝幅を有する電池ボックスの端子ばね取付け構造において、
上記第１差込み溝が、上記乾電池収容スペースの長手方向に直交する第１平坦面によって形成された片側の第１溝壁面とその第１平坦面に間隔を隔てて対向する第１板片部の平坦な内面によって形成された他側の第１溝壁面とを有し、上記第１板片部を薄肉化して他側の第１溝壁面を片側の第１溝壁面から遠ざけることによりその第１板片部を第１番目輪線部の上記始部と第２番目輪線部の上記始部との相互間隙間に配備して第１番目輪線部の始部に対する第１差込み溝の溝壁面による押さえ込み状態を解除すると共に、
上記第２差込み溝が、上記第１平坦面と共通の仮想平面上に位置する第２平坦面によって形成された片側の第２溝壁面とその第２平坦面に間隔を隔てて対向する第２板片部の平坦な内面によって形成された他側の第２溝壁面とを有し、上記第２板片部を薄肉化してその第２板片部の外面を他側の第２溝壁面に近付けることにより上記第２板片部を第１番目輪線部の上記中間部と他側の上記第２溝壁面との相互間隙間に配備して第１番目輪線部の上記中間部に対する第２差込み溝の溝壁面による押さえ込み状態を解除することによって、上記端子ばねの自然状態での軸線を電池ボックスの乾電池収容スペースの長手方向に一致させてあり、
第１番目輪線部の始部につながる支持線部を、第１差込み溝の溝底面に沿って延出させてあることを特徴とする電池ボックスの端子ばね取付け構造。
【請求項３】
コイル状の端子ばねの複数の螺旋状の輪線部のうち、当該端子ばねの基部に位置する第１番目輪線部の始部が、相対向して配備された第１及び第２の一対の差込み溝のうちの第１差込み溝内でその溝壁面によって押さえ込まれ、かつ、上記第１番目輪線部の中間部が、第２差込み溝内でその溝壁面によって押さえ込まれていて、上記第１差込み溝が、第１番目輪線部の始部と第２番目輪線部の始部との相互間ピッチよりも狭い溝幅を有する電池ボックスの端子ばね取付け構造において、
上記第１差込み溝の溝幅を、上記相互間ピッチよりも広くならない範囲で拡げて第１番目輪線部の始部に対する第１差込み溝の溝壁面による押さえ込み状態を解除すると共に、第１番目輪線部の上記中間部を上記第２差込み溝の外側へ出して第１番目輪線部の上記中間部に対する第２差込み溝の溝壁面による押さえ込み状態を解除することにより、上記端子ばねの自然状態での軸線を電池ボックスの乾電池収容スペースの長手方向に一致させてあることを特徴とする電池ボックスの端子ばね取付け構造。
【請求項４】
上記第１差込み溝が、上記乾電池収容スペースの長手方向に直交する第１平坦面によって形成された片側の第１溝壁面とその第１平坦面に間隔を隔てて対向する第１板片部の平坦な内面によって形成された他側の第１溝壁面とを有し、上記第１板片部を薄肉化して他側の第１溝壁面を片側の第１溝壁面から遠ざけることにより第１差込み溝の溝幅を拡げてある請求項３に記載した電池ボックスの端子ばね取付け構造。
【請求項５】
上記第２差込み溝が、上記第１平坦面と共通の仮想平面上に位置する第２平坦面によって形成された片側の第２溝壁面とその第２平坦面に間隔を隔てて対向する第２板片部の平坦な内面によって形成された他側の第２溝壁面とを有し、上記第２板片部を薄肉化してその第２板片部の外面を他側の第２溝壁面に近付けることによって第１番目輪線部の上記中間部を第２差込み溝の外側へ出してある請求項４に記載した電池ボックスの端子ばね取付け構造。
【請求項６】
上記第１板片部が第１番目輪線部の上記始部と第２番目輪線部の上記始部との相互間隙間に配備され、上記第２板片部が第１番目輪線部の上記中間部と他側の上記第２溝壁面との相互間隙間に配備されている請求項５に記載した電池ボックスの端子ばね取付け構造。
【発明の詳細な説明】
【技術分野】
【０００１】
本発明は、電池ボックスの端子ばね取付け構造、詳しくは、各種電気機器を遠隔制御するために用いられるリモートコントローラや電気機器自体に装備されてその駆動電力を供給するための乾電池を収容する電池ボックスについての端子ばね取付け構造に関する。
【背景技術】
【０００２】
この種の電池ボックスにおいて、乾電池の負電極面に接触する端子としてコイル状の端子ばねを用いことは周知であって、そのようなコイル状の端子ばねを、電池ボックスに設けた差込み溝に差し込むことによって定位置に保持させることも従来より行われている（たとえば、特許文献１、突起文献２参照）。これらの特許文献１，２によって開示されている端子ばねは、いずれも円錐台形状（たけのこ状）に成形されたコイル状の端子ばねの基部に位置する第１番目の輪線部を差込み溝に差し込む構成になっている。また、コイル状の端子ばねの第１番目輪線部の始部から延び出た末端部分を基板に半田付けすることによってその端子ばねを基板に実装しておくことも行われている（たとえば、突起文献３参照）。
【０００３】
図５には電池ボックスの端子ばね取付け構造の従来例を概略平面図で示してあり、図６には同従来例の要部を概略正面図で示してある。
【０００４】
この従来例は電気機器を遠隔制御することに用いられるリモートコントローラの電池ボックスに採用されている端子ばね取付け構造を示した事例であり、図５において、符号１がリモートコントローラのボトムケースを示している。電池ボックスＢはこのボトムケース１の端部に設けられていて、汎用の乾電池を２本並べて収容することができるようになっている。そして、この電池ボックスＢの一端部には、片側の乾電池の負電極に接触するコイル状の端子ばね２と他側の乾電池の正電極に接触する渦巻き状の端子ばね５とが配備されていて、それら２つの端子ばね２，５同士が接続線部６によって直列に電気的接続されている。また、電池ボックスＢの一端部には、コイル状の端子ばね２を定位置に保持することに用いられるばね保持部７と渦巻き状の端子ばね５を定位置に保持することに用いられるばね保持部８とが形成されている。
【０００５】
コイル状の端子ばね２を定位置に保持することに用いられる一方側の上記ばね保持部７は、相対向して配備された第１及び第２の同一の溝幅を有する一対の差込み溝７１，７５によって形成されている。このうち、第１差込み溝７１が、乾電池収容スペースＳ１の長手方向に直交する第１平坦面によって形成された片側の第１溝壁面７１ａとその第１平坦面に間隔を隔てて対向する第１板片部７３の平坦な内面によって形成された他側の第１溝壁面７１ｂとを有している。第２差込み溝７５も同様に、乾電池収容スペースＳ１の長手方向に直交する第２平坦面によって形成された片側の第２溝壁面７５ａとその第２平坦面に間隔を隔てて対向する第２板片部７７の平坦な内面によって形成された他側の第２溝壁面７５ｂとを有している。この従来例において、上記の片側の第１溝壁面７１ａを形成している第１平坦面と片側の第２溝壁面７５ａを形成している第２平坦面とは同一の仮想平面上に位置している。また、第１板片部７３と第２板片部７７とは同一の肉厚を有している。さらに、第１差込み溝７１や第２差込み溝７５の溝幅は、コイル状の端子ばね２の第１番目輪線部の始部２１ａと第２番目輪線部の始部２２ｂとの自然状態（無負荷状態）での相互間ピッチよりも狭い溝幅を有している。
【０００６】
そして、図６によっても明らかなように、コイル状の端子ばね２の複数の螺旋状の輪線部のうち、当該端子ばね２の基部に位置している第１番目輪線部２１の始部２１ａが第１差込み溝７１内でその溝壁面、具体的には他側の第１溝壁面７１ｂ（図５参照）によりばね弾性に抗して押さえ込まれ、第１番目輪線部２１の中間部２１ｂが、第２差込み溝７５内でその溝壁面、具体的には他側の第２溝壁面７５ｂ（図５参照）によりばね弾性に抗して押さえ込まれている。
【０００７】
このような従来例の取付け構造によると、端子ばね２が、その自然状態では、第１輪線部２１がその始部２１ａを起点として螺旋方向に延び出して第２輪線部２２の始部２２ａにつながるという形状を有しているにもかかわらず、第１輪線部２１がその始部２１ａが片側の第１差込み溝７１内でその溝壁面によって押さえ込まれ、その中間部２１ｂが他側の第１差込み溝７５内でそのその溝壁面によって押さえ込まれていて、しかも、その押さえ込みによる変位幅は始部２１ａよりも中間部２１ｂが大きくなるので、図５に示したように、電池ボックスＢ内に取り付けられた当該端子ばね２は、その軸線Ｌが乾電池収容スペースＳ１の長手方向（矢印Ｌ１）に対して傾斜するという状況が生じる。
【特許文献１】特開平１０−２４７４８１号公報（図１、図２）
【特許文献２】特開平６−１３０４９号公報（図１）
【特許文献３】実開平５−３０５７８号公報
【発明の開示】
【発明が解決しようとする課題】
【０００８】
ところで、リモートコントローラや電気機器において、その電池ボックスＢに装備されている端子ばね２の軸線Ｌが上記のように傾いているとしても、そのことが、乾電池収容スペースＳ１に収容した乾電池の負電極との接触安定性などの端子ばねに要求される性能に悪影響を及ぼすことはない。
【０００９】
しかしながら、コイル状の端子ばね２は、乾電池を交換する際などにユーザの目に触れるものであり、ユーザに対する性能信頼性を高める上では、端子ばね２が傾いていないことが望ましいということが云える。
【００１０】
そこで、本発明は、コイル状の端子ばねを、その軸線が乾電池収容スペースの長手方向に一致するように電池ボックスに取り付けることができるような対策を講じることによって、見た目の性能信頼性や外観品位を高めることのできる電池ボックスの端子ばね取付け構造を提供することを目的とする。
【００１１】
また、本発明は、図５又は図６を参照して説明した従来例に簡単な改造を加えることによって、コイル状の端子ばねの見た目の性能信頼性や外観品位を高めることのできる電池ボックスの端子ばね取付け構造を提供することを目的とする。
【課題を解決するための手段】
【００１２】
請求項１の発明に係る電池ボックスの端子ばね取付け構造は、コイル状の端子ばねの複数の螺旋状の輪線部のうち、当該端子ばねの基部に位置する第１番目輪線部の始部が、相対向して配備された第１及び第２の一対の差込み溝のうちの第１差込み溝内でその溝壁面によって押さえ込まれ、かつ、上記第１番目輪線部の中間部が、第２差込み溝内でその溝壁面によって押さえ込まれている電池ボックスの端子ばね取付け構造において、上記第１差込み溝が、上記乾電池収容スペースの長手方向に直交する第１平坦面によって形成された片側の第１溝壁面とその第１平坦面に間隔を隔てて対向する第１板片部の平坦な内面によって形成された他側の第１溝壁面とを有し、上記第１板片部を第１番目輪線部の上記始部と第２番目輪線部の上記始部との相互間隙間に配備して第１番目輪線部の始部に対する第１差込み溝の溝壁面による押さえ込み状態を解除してあり、かつ、上記第２差込み溝が、上記第１平坦面と共通の仮想平面上に位置する第２平坦面によって形成された片側の第２溝壁面とその第２平坦面に間隔を隔てて対向する第２板片部の平坦な内面によって形成された他側の第２溝壁面とを有し、上記第２板片部を第１番目輪線部の上記中間部と他側の上記第２溝壁面との相互間隙間に配備して第１番目輪線部の上記中間部に対する第２差込み溝の溝壁面による押さえ込み状態を解除してあることによって、上記端子ばねの自然状態での軸線を電池ボックスの乾電池収容スペースの長手方向に一致させてあると共に、上記第１差込み溝の溝底面に沿って延出された支持線部が第１番目輪線部の始部から延び出ている。
【００１３】
この構成を採用すると、電池ボックスでの取付け状態で端子ばねの自然状態が維持されるので、第１番目輪線部の始部から延び出ている支持線部が第１差込み溝の溝底面に沿って延出されていることによって、その端子ばねの軸線が電池ボックスの乾電池収容スペースの長手方向に無理なく一致して、見た目の性能信頼性や外観品位が高まる。
【００１４】
また、請求項２の本発明に係る電池ボックスの端子ばね取付け構造では、コイル状の端子ばねの複数の螺旋状の輪線部のうち、当該端子ばねの基部に位置する第１番目輪線部の始部が、相対向して配備された第１及び第２の一対の差込み溝のうちの第１差込み溝内でその溝壁面によって押さえ込まれ、かつ、上記第１番目輪線部の中間部が、第２差込み溝内でその溝壁面によって押さえ込まれていて、上記第１差込み溝が、第１番目輪線部の始部と第２番目輪線部の始部との相互間ピッチよりも狭い溝幅を有する電池ボックスの端子ばね取付け構造において、上記第１差込み溝が、上記乾電池収容スペースの長手方向に直交する第１平坦面によって形成された片側の第１溝壁面とその第１平坦面に間隔を隔てて対向する第１板片部の平坦な内面によって形成された他側の第１溝壁面とを有し、上記第１板片部を薄肉化して他側の第１溝壁面を片側の第１溝壁面から遠ざけることによりその第１板片部を第１番目輪線部の上記始部と第２番目輪線部の上記始部との相互間隙間に配備して第１番目輪線部の始部に対する第１差込み溝の溝壁面による押さえ込み状態を解除すると共に、上記第２差込み溝が、上記第１平坦面と共通の仮想平面上に位置する第２平坦面によって形成された片側の第２溝壁面とその第２平坦面に間隔を隔てて対向する第２板片部の平坦な内面によって形成された他側の第２溝壁面とを有し、上記第２板片部を薄肉化してその第２板片部の外面を他側の第２溝壁面に近付けることにより上記第２板片部を第１番目輪線部の上記中間部と他側の上記第２溝壁面との相互間隙間に配備して第１番目輪線部の上記中間部に対する第２差込み溝の溝壁面による押さえ込み状態を解除することによって、上記端子ばねの自然状態での軸線を電池ボックスの乾電池収容スペースの長手方向に一致させてあり、第１番目輪線部の始部につながる支持線部を、第１差込み溝の溝底面に沿って延出させてある、という構成を採用している。この発明の作用などについては後述する実施形態を参照して詳細に説明する。
【００１５】
請求項３の発明に係る電池ボックスの端子ばね取付け構造は、コイル状の端子ばねの複数の螺旋状の輪線部のうち、当該端子ばねの基部に位置する第１番目輪線部の始部が、相対向して配備された第１及び第２の一対の差込み溝のうちの第１差込み溝内でその溝壁面によって押さえ込まれ、かつ、上記第１番目輪線部の中間部が、第２差込み溝内でその溝壁面によって押さえ込まれていて、上記第１差込み溝が、第１番目輪線部の始部と第２番目輪線部の始部との相互間ピッチよりも狭い溝幅を有する電池ボックスの端子ばね取付け構造において、上記第１差込み溝の溝幅を、上記相互間ピッチよりも広くならない範囲で拡げて第１番目輪線部の始部に対する第１差込み溝の溝壁面による押さえ込み状態を解除すると共に、第１番目輪線部の上記中間部を上記第２差込み溝の外側へ出して第１番目輪線部の上記中間部に対する第２差込み溝の溝壁面による押さえ込み状態を解除することにより、上記端子ばねの自然状態での軸線を電池ボックスの乾電池収容スペースの長手方向に一致させてある、という構成を採用することが可能である。この取付け構造によれば、上記したところと同様に、電池ボックスでの取付け状態で端子ばねの自然状態が維持されるので、第１番目輪線部の始部から延び出ている支持線部が第１差込み溝の溝底面に沿って延出されていることによって、その端子ばねの軸線が電池ボックスの乾電池収容スペースの長手方向に無理なく一致して、見た目の性能信頼性や外観品位が高まる。加えて、この発明は、図５及び図６を参照して説明した従来例を改造したものに相当するので、従来例に簡単な改造を加えて見た目の性能信頼性や外観品位を高めることが可能になる。
【００１６】
請求項４の発明に係る電池ボックスの端子ばね取付け構造は、請求項３のものにおいて、上記第１差込み溝が、上記乾電池収容スペースの長手方向に直交する第１平坦面によって形成された片側の第１溝壁面とその第１平坦面に間隔を隔てて対向する第１板片部の平坦な内面によって形成された他側の第１溝壁面とを有し、上記第１板片部を薄肉化して他側の第１溝壁面を片側の第１溝壁面から遠ざけることにより第１差込み溝の溝幅を拡げてある、というものである。
【００１７】
請求項５の発明に係る電池ボックスの端子ばね取付け構造は、請求項４のものにおいて、上記第２差込み溝が、上記第１平坦面と共通の仮想平面上に位置する第２平坦面によって形成された片側の第２溝壁面とその第２平坦面に間隔を隔てて対向する第２板片部の平坦な内面によって形成された他側の第２溝壁面とを有し、上記第２板片部を薄肉化してその第２板片部の外面を他側の第２溝壁面に近付けることによって第１番目輪線部の上記中間部を第２差込み溝の外側へ出してある、というものである。
【００１８】
請求項６の発明に係る電池ボックスの端子ばね取付け構造は、請求項５のものにおいて、上記第１板片部が第１番目輪線部の上記始部と第２番目輪線部の上記始部との相互間隙間に配備され、上記第２板片部が第１番目輪線部の上記中間部と他側の上記第２溝壁面との相互間隙間に配備されている、というものである。
【００１９】
上記した請求項４〜６の発明においても、請求項３のものと同様に、従来例に簡単な改造を加えて見た目の性能信頼性や外観品位を高めることが可能になる。
【発明の効果】
【００２０】
以上のように、本発明によれば、コイル状の端子ばねが、その軸線を乾電池収容スペースの長手方向に一致させて電池ボックスに取り付けられていて、しかも、その端子ばねが自然状態に保たれているので、見た目の性能信頼性や外観品位が高まるという効果が奏される。しかも、本発明によると、図５又は図６を参照して説明した従来例に、余分な部品を追加することなく、簡単な改造を加えるだけでコイル状の端子ばねの見た目の性能信頼性や外観品位を高めることができるという利点もある。
【発明を実施するための最良の形態】
【００２１】
図１は本発明に係る取付け構造を備えるリモートコントローラＡの概略斜視図であり、このリモートコントローラＡは、その筐体がボトムケース１にトップケース１２を合わせることによって製作されていると共に、トップケース１２に必要な制御ボタン類１３が配備され、さらに、ボトムケース１に電池ボックスを開閉するためのカバー１４を着脱可能として構成してある。
【００２２】
図２は電池ボックス（不図示）内での端子ばねの配置パターンを例示した説明図である。同図のように、この実施形態では、電池ボックスに収容される２本の乾電池のうちの一方側と他方側とに正電極用及び負電極用の端子ばねがそれぞれ配備されていると共に、１本の乾電池に対しては、基板Ｐ側の負電極用の端子ばね２と電池ボックスに取り付けられる正電極用の端子ばね５とが対峙している。
【００２３】
図３には電池ボックスの端子ばね取付け構造の実施形態を概略平面図で示してあり、図４には自然状態の端子ばねを側面図で示してある。
【００２４】
図４に示した端子ばねでは、乾電池の負電極用として利用されるコイル状の端子ばね２と、乾電池の正電極用として利用される渦巻き状の端子ばね５とが、接続線部６によって直列に電気的接続されていて、コイル状の端子ばね２の軸線Ｌは、自然状態で接続線部６に対して垂直になっている。
【００２５】
図３のように、電池ボックスＢの一端部には、コイル状の端子ばね２を定位置に保持することに用いられるばね保持部７と渦巻き状の端子ばね５を定位置に保持することに用いられるばね保持部８とが形成されている。この点は、図４又は図５を参照して説明した従来例と同様である。
【００２６】
この実施形態において、コイル状の端子ばね２を定位置に保持することに用いられる一方側のばね保持部７は、相対向して配備された第１及び第２の溝幅の異なる一対の差込み溝７１，７５によって形成されている。このうち、第１差込み溝７１が、乾電池収容スペースＳ１の長手方向Ｌ１に直交する第１平坦面によって形成された片側の第１溝壁面７１ａとその第１平坦面に間隔を隔てて対向する第１板片部７３の平坦な内面によって形成された他側の第１溝壁面７１ｂとを有している。そして、この実施形態では、第１板片部７３を薄肉化して他側の第１溝壁面７１ｂを片側の第１溝壁面７１ａから遠ざけることによってその溝幅を第２差込み溝７５の溝幅よりも広くしてある。
【００２７】
第２差込み溝７５も同様に、乾電池収容スペースＳ１の長手方向Ｌ１に直交する第２平坦面によって形成された片側の第２溝壁面７５ａとその第２平坦面に間隔を隔てて対向する第２板片部７７の平坦な内面によって形成された他側の第２溝壁面７５ｂとを有している。そして、この実施形態では、第２板片部７７を薄肉化してその第２板片部７７の外面を他側の第２溝壁面７５ｂに近付けてある。
【００２８】
ここで、薄肉化された第１板片部７３や第２板片部７７は、それらの厚さを図５で説明した従来例の第１板片部７３や第２板片部７７の厚さと対比したものである。したがって、第１差込み溝７１の溝幅は従来例のそれよりも広くなっており、第２差込み溝７５の溝幅は従来例のそれと同一であって、この実施形態の第１板片部７３と第２板片部７７とは図３に見られるように段違い状態で対向している。
【００２９】
この実施形態に用いられている端子ばね２のサイズや形状は図５で説明した従来例のそれと同じであって、第１差込み溝７１には第１番目輪線部２１の始部２１ａが配備されて第１板片部７３がその始部２１ａと第２番目輪線部２２の始部２２ａとの相互間隙間に遊嵌状態で配備されている。言い換えると、第１板片部７３の内面側に肉盗み箇所を形成して第１差込み溝７１の溝幅を広く確保することにより、始部２１ａから螺旋方向に延び出ている第１番目輪線部２１が他方側の第１溝壁面７１ｂに接触しないか、あるいは、接触するとしても第１番目輪線部２１を押し込むような弾圧状態にならないように構成されている。したがって、この構成により、第１番目輪線部２１の始部２１ａに対する第１差込み溝７１の溝壁面による押さえ込み状態が解除されている。また、第２板片部７７が第１番目輪線部２１の中間部２１ｂと他側の第２溝壁面７５ｂとの相互間隙間に配備されている。言い換えると、第２板片部７７をその外面側に肉盗み箇所を形成してその第２板片部７７が第１番目輪線部２１の中間部２１ｂに接触しないようにしてある。したがって、この構成により、第１番目輪線部２１の中間部２１ｂに対する第２差込み溝７５の溝壁面による押さえ込み状態が解除されている。
【００３０】
次に、端子ばね２の接続線部６には、図６に示されているように直角に折り曲げて延設された支持線部２３が備わり、その支持線部２３が端子ばね２の始部２１ａから延び出ている。そして、この支持線部２３が第１差込み溝７１の溝底面に沿って配備されることにより、その支持線部２３を含む上記接続線部６がコイル状の端子ばね２の軸線Ｌを乾電池収容スペースＳの長手方向い１に一致させてある。
【００３１】
以上説明した事項以外の事項は、図５又は図６を参照して説明した従来例と同様である。
【００３２】
図３の事例は、図５又は図６に示した従来例の構成を基本として、その第１板片部７３や第２板片部７５を薄肉にして段違い状に対向させたものに相当する。したがって、この事例の取付け構造に採用されているばね保持部７は、図５又は図６に示した従来例のばね保持部７を成形するための金型の成形面にわずかな変更を加えた金型を用いて容易に構成することができる。したがって、この実施形態にによる取付け構造は、余分な部品を追加することなく、しかも、端子ばね２の組付け工程を従来のものから変更することなく、容易に構成することができるようになり、その量産性にも優れるものであると云える。
【００３３】
なお、本発明に係る取付け構造は、図５又は図６に示した従来例の改造としてではなく、新たな成形金型を用いてばね保持部７を成形することも可能であること、勿論である。
【図面の簡単な説明】
【００３４】
【図１】本発明に係る取付け構造を備えるリモートコントローラの概略斜視図である。
【図２】電池ボックス内での端子ばねの配置パターンを例示した説明図である。
【図３】電池ボックスの端子ばね取付け構造の実施形態を示した概略平面図である。
【図４】自然状態の端子ばねの側面図である。
【図５】従来例を示した概略平面図である。
【図６】従来例の要部の概略正面図である。
【符号の説明】
【００３５】
２  コイル状の端子ばね
２１  第１番目輪線部
２１ａ  第１番目輪線部の始部
２２  第２番目輪線部
２２ａ  第２番目輪線部の始部
２３  支持線部
７１  第１差込み溝
７１ａ  片側の第１溝壁面
７１ｂ  他側の第１溝壁面
７３  第１板片部
７５  第２差込み溝
７５ａ  片側の第２溝壁面
７５ｂ  他側の第２溝壁面
７７  第２板片部
Ｓ  乾電池収容スペース
Ｌ１  乾電池収容スペースの長手方向
Ｌ  端子ばねの自然状態での軸線
【図１】
2008066009.tif 000003
【図２】
2008066009.tif 000004
【図３】
2008066009.tif 000005
【図４】
2008066009.tif 000006
【図５】
2008066009.tif 000007
【図６】
2008066009.tif 000008